(57)【特許請求の範囲】
【請求項１】
介護を受ける被介護者が着用するズボンであって、
ズボンの外殻を成すズボン本体部の前壁部における左右の脇線のいずれか一方である第一脇線の付近に、前記前壁部を開放するために、履き口である上縁部から少なくとも股部を超えた下方であって、裾である下端部より上方の位置まで延びるように開き口が設けられ、
前記開き口は、
前記ズボン本体部の前壁部における左右の片側のみに設けられて、
着用時に前記前壁部における前記開き口よりへそ側の部位となる外カバー部を、前記開き口の下端部から前記股部を通って、前記ズボン本体部における前記開き口が設けられていない側の脇線である第二脇線の上端部に至る線をヒンジ線として開き可能とするように構成され、
前記開き口の上端部近傍において、前記開き口を開放可能に閉鎖する一対の係止部が設けられ、
前記前壁部における前記開き口の前記第一脇線側の縁部とへそ側の縁部とは、前記開き口の略全長に亘って相互に離隔状態であり、
前記前壁部における前記開き口の前記第一脇線側縁部の略全域からへそ側に向かって、前記外カバー部の内側に配置される内カバー部が延設され、
前記内カバー部は、前記開き口の下端部を起点として前記第一脇線側に開き可能に構成され、
前記内カバー部は、少なくとも前記ズボン本体部の左右方向の中心付近までの領域において前記外カバー部と重なる
ことを特徴とする被介護者用ズボン。
【請求項２】
介護を受ける被介護者が着用するズボンであって、
ズボンの外殻を成すズボン本体部の前壁部における左右の脇線のいずれか一方である第一脇線の付近に、前記前壁部を開放するために、履き口である上縁部から少なくとも股部を超えた下方であって、裾である下端部より上方の位置まで延びるように開き口が設けられ、
前記開き口は前記ズボン本体部の前壁部における左右の片側のみに設けられ、
前記開き口の上端部近傍において、前記開き口を開放可能に閉鎖する一対の係止部が設けられ、
前記前壁部における前記開き口の前記第一脇線側の縁部とへそ側の縁部とは、前記開き口の略全長に亘って相互に離隔状態であり、
前記前壁部における前記開き口の前記第一脇線側縁部の略全域からへそ側に向かって、着用時に前記前壁部における前記開き口よりへそ側の部位である外カバー部の内側に配置される内カバー部が延設され、
前記内カバー部は、少なくとも前記ズボン本体部の左右方向の中心付近までの領域において前記外カバー部と重なり、
前記開き口の下端部の位置が、前記ズボンを平らに広げた状態において、前記開き口が設けられていない側の脇線である第二脇線の上端部と前記股部とを結ぶ直線の延長線と交差する位置付近となるように前記開き口の長さが決定されている
ことを特徴とする被介護者用ズボン。
【請求項３】
前記係止部が、ボタンとボタン穴とからなることを特徴とする請求項１または２に記載の被介護者用ズボン。
【請求項４】
前記開き口が、前記第一脇線よりへそ側にずれた位置に配置されることを特徴とする請求項１乃至請求項３のいずれかに記載する被介護者用ズボン。
【発明の詳細な説明】
【技術分野】
【０００１】
本発明は、介護を受ける被介護者が着用するズボンであって、介護者が被介護者の介護をする際に、脱ぎ着等を容易にして介護者の負担を軽減することができる被介護者用ズボンに関する。
【背景技術】
【０００２】
自宅または病院や介護施設等における介護の現場において、寝たままで過ごすことが多い状態の被介護者に着替えをさせたり、オムツ交換をしたりする際の介護者の負担の大きさは従来から知られているところである。下衣（ズボン）の方に限って見た場合、特に被介護者が健常者用と同じズボンを着用した場合には、着替えやオムツ交換の際に、大人である被介護者の身体（特に、腰部）を持ち上げてズボンを下に下ろさなければならないことが、介護者が腰部等を痛める原因となるため、その負担を軽減するための被介護者用の衣服が種々、発明・考案されている。
【０００３】
たとえばズボンでは、被介護者の身体を持ち上げることなく、転動させるだけで脱ぎ着させられるように、前身頃の中心における上端から内股を経由して、ズボンの左右の裾まで面ファスナーを配置して、面ファスナーを開閉することにより、ズボンの左部分と右部分とを分離させて脱ぎ着させるズボン（特許文献１）や、完全に一枚の平面状に展開可能な部材の内股と腹部の中心部に、相互に係合可能な、ボタンやホック、面ファスナーあるいはスライド式ファスナー等からなる複数の対の係止具を配置し、それらの係止具を全て係合させると立体的なズボンとなる構成として、着脱を容易としたズボン（特許文献２の図７）等があった。
【０００４】
しかし、これら従来の被介護者用ズボンにおいては、いずれも、ズボンの履き口である上縁部から裾まで等の長い範囲に、スライド式ファスナーや面ファスナー、あるいは多数の対の係止具を取り付けてあるため、それらの係合状態を全て解除するのに手間と時間がかかった。また、スライド式ファスナーやスナップ等は衣類とは異なる触感を有するため、長い範囲に亘って長尺状に、あるいは多数配置させると、皮膚に当たって着心地を損ねるという問題や、外観的にも、普通のズボンではない、被介護者用のものだということがわかるため、着用者の尊厳に関わるという問題もあった。
【先行技術文献】
【特許文献】
【０００５】
【特許文献１】特開２０１２−０５７２８７号公報
【特許文献２】特開２００４−３３２１５４号公報
【発明の概要】
【発明が解決しようとする課題】
【０００６】
そこで本発明は、着替えやオムツ交換の際の介護者の負担を軽減することができ、且つ、被介護者の着心地や外観も自然な被介護者用ズボンを提供することを目的とする。
【課題を解決するための手段】
【０００７】
本発明に係る被介護者用ズボンは、介護を受ける被介護者が着用するズボンであって、
ズボンの外殻を成すズボン本体部の前壁部における左右の脇線のいずれか一方である第一脇線の付近に、前壁部を開放するために、履き口である上縁部から少なくとも股部を超えた下方であって、裾である下端部より上方の位置まで延びるように開き口が設けられ、
開き口は、
ズボン本体部の前壁部における左右の片側のみに設けられて、
着用時に前壁部における開き口よりへそ側の部位となる外カバー部を、開き口の下端部から股部を通って、ズボン本体部における開き口が設けられていない側の脇線である第二脇線の上端部に至る線をヒンジ線として開き可能とするように構成され、
開き口の上端部近傍において、開き口を開放可能に閉鎖する一対の係止部が設けられ、
前壁部における開き口の第一脇線側の縁部とへそ側の縁部とは、開き口の略全長に亘って相互に離隔状態であり、
前壁部における開き口の第一脇線側縁部の略全域からへそ側に向かって、外カバー部の内側に配置される内カバー部が延設され、
内カバー部は、開き口の下端部を起点として第一脇線側に開き可能に構成され、
内カバー部は、少なくともズボン本体部の左右方向の中心付近までの領域において前記外カバー部と重なる
ことを特徴とする。
【０００８】
このような被介護者用ズボンでは、開き口がズボン本体部の左右の片側にのみ設けられるため、開き口がズボン本体部の左右両側に設けられる場合と比較して、一箇所の開き口の上端部近傍において開き口を閉鎖している係止部を外すだけで、素早く被介護者の腰部を開放する作業を開始することができる。また開き口が股部を超えた下方まで延設されているため、内カバー部の外側に配置される外カバー部を、開き口の下端部から股部を通ってズボン本体部における開き口が設けられていない側の脇線の上端に至る線をヒンジ線として大きく開くことができ、また、内カバー部も開き口の下端部を起点として大きく外側に開くことができる。その結果、被介護者の前面を大きく開放することができるので、被介護者が仰向けに寝たままでも、オムツと併用する尿取りパッドの濡れ具合を確認したり、尿取りパッドを交換したりする等の作業が容易に行える。
【０００９】
オムツ交換やズボンを脱がせる場合には、係止部の係合状態を解除してズボン本体部の前壁部を大きく開いた後、開き口が設けられていない方の脇線側を下とする側臥位になるように被介護者を転動させれば、内カバー部と共にズボン本体部の後壁部も、股部より下方に設けられた開き口の下端部と、身体の下敷きになっている側の脇線の上端部付近と、を結ぶ線をヒンジ線として、被介護者の背面側に大きく開くことができる。すると、被介護者の腰部の左右方向における開き口の設けられる側を大腿部に至るまで大きく開放することができる。その状態から被介護者を仰臥位に戻し、さらに反対の側臥位になるように（開放された第一脇線側が下になるように）転動させれば、下側になった腰部の側からはすでにズボンは外れているため、ズボン本体部における開き口の設けられていない側をめくるだけで被介護者の腰部全体からズボンを脱がせることができる。その結果、被介護者の腰部を持ち上げることなく身体を転動させるだけで、ズボンを脱がせて着替えやオムツ交換を容易に行うことができるので、介護者の負担が大幅に軽減される。ズボンを着せる場合には、これと逆の手順で行えばよい。
【００１０】
また本発明の被介護者用ズボンでは、開き口の第一脇線側の縁部の上端から下端までの略全域からへそ側に向かって延設される内カバー部が、外カバー部の内側において、少なくともズボン本体部の左右方向の中心付近までの領域において外カバー部と重なるように設けられている。このため、ズボン本体部における開き口の第一脇線側の縁部とへそ側の縁部とが、開き口の略全長に亘って相互に離隔状態でも、内カバー部と外カバー部が重なり着物の前側部分と同様の態様となって、着用時にズボンの内側の身体が見えてしまうことはなく、被介護者が恥ずかしい思いをすることなく安心して着用できる。また、内カバー部によってズボンの内部が見えないようになっているので、開き口の上端部近傍において開き口を閉鎖する係止部の他に、開き口の全長に亘って、スライド式ファスナーや、多数のスナップ等を配置して開き口の縁部相互を閉鎖する必要がなく、開き口の上端部近傍の係止部の係合状態を解除するだけで素早く外カバー部を開くことができ、被介護者の腰部を開放する作業を格段に容易に、素早く行うことができる。また、着用者にとっても、腰から大腿部にかけての長い領域にファスナーや多数のスナップが取り付けられている場合の皮膚に接触する不快感等を感じることなく、自然な着心地を得ることができる。
【００１１】
また内カバー部は、着用時にはズボン本体部の外カバー部に隠れる部位であって且つ十分なスペースがあるため、この部位を着用者の氏名や介護施設における部屋番号等を記入する名札スペースとして利用でき、介護施設等で一括して衣類を洗濯・管理等する場合に、取り違え等の防止に役立つ。
【００１２】
したがって、実施形態の被介護者用ズボンは、外観や着心地を損なうことなく、被介護者の着替えやオムツ交換の際の介護者の負担を軽減することができる。
【００１３】
上述した本発明の被介護者用ズボンにおいては、開き口の下端部の位置を、ズボンを平らに広げた状態において、開き口が設けられていない側の脇線である第二脇線の上端部と股部とを結ぶ直線の延長線と交差する位置付近とするように開き口の長さを決定することが望ましい。このように決定した下端部の位置は、股部があるズボンにおいて、前壁部における左右の片側のみに開き口を設けた場合に、開き口を無駄に長くすることなしに最大限にズボン本体部を開くことができる位置である。したがって、ズボン本体部の前壁部における開き口よりへそ側の部位である外カバー部を開く際に、股部を経由して第二脇線の上端と開き口の下端部を結ぶ直線をヒンジ線として最大限に被介護者の前面を開放することができ、その後さらに、開き口がない第二脇線側を下とする側臥位になるように被介護者を転動させた場合にも、内カバー部とズボン本体部の後壁部とを、開き口の下端部と、身体の下敷きになっている第二脇線の上端部付近とを結ぶ線をヒンジ線として、被介護者の背面側に開いて被介護者の腰部を最大限に開放することができるため、被介護者の腰部全体からズボンを脱がせる作業がより一層容易となって、着替えやオムツ交換を容易に行うことができ、介護者の負担を大幅に軽減することができる。
【００１４】
また本発明の被介護者用ズボンにおいては、開き口の上端部近傍において開き口を閉鎖する係止部を、１個のボタンとボタン穴とから構成することが望ましい。この構成では、介護者が片手でも素早くはめ外しの操作ができ、両手を使って開閉操作をしなければならないスナップ等の係止具を使用した場合と比較して、素早く介護作業を行うことができる。
【００１５】
さらに本発明の被介護者用ズボンにおいては、開き口が、近傍の第一脇線からへそ側、すなわち左右の中心側にずれた位置に設けられている。この構成によれば、ズボンを着用した被介護者が、第一脇線側を下にした側臥位になった場合にも、開き口の上端部近傍に設けられるボタン等の係止部が身体の下敷きにならないので、係止部が身体を圧迫して被介護者が痛い思いをすることがない。
【図面の簡単な説明】
【００１６】
【図１】実施形態の被介護者用ズボンの正面図である。
【図２】図１の被介護者用ズボンにおいて、ズボン本体部の外カバー部を開いた状態を示す正面図である。
【図３】図１の被介護者用ズボンの、（Ａ）は平面図を、（Ｂ）は左側面図を示す。
【図４】図１の被介護者用ズボンにおいて、ズボン本体部の外カバー部を開いた状態を示す概略斜視図である。
【図５−１】実施形態の被介護者用ズボンを脱がせる際の手順を示す図である。
【図５−２】実施形態の被介護者用ズボンを脱がせる際の手順を示す図であって、図５−１の次の状態を示す図である。
【図６】開き口と内カバー部を構成する別の態様を示す図である。
【発明を実施するための形態】
【００１７】
以下に本発明の望ましい実施形態を図面に基づいて説明する。
【００１８】
図１から図４に示す本発明の実施形態である被介護者用ズボンＰ（以下、ズボンＰということがある）は、柔軟性を有する織布または編地からなる布材からなり、ズボンの外殻をなす本体部１１が、履き口である上縁部１１ａに沿って設けられたゴム通し穴２１にゴム（図示省略）が通され、該ゴムにより腰に係止される構造としたものである。本体部１１の前壁部１３における右側部１３Ｒには、前壁部１３を開放するための開き口２５が設けられている。
【００１９】
なお本実施形態における左右方向は、着用者から見た左右方向をいう。
【００２０】
図１に示すように、開き口２５は、本体部１１の前壁部１３と後壁部１５（図３と図４参照）との境界線である右側の脇線（第一脇線）１１ｂ付近において、上縁部１１ａから、少なくとも股部１９を超えた下方であって、裾である下端部１１ｄより上方の位置まで略直線状に延びるように設けられる。本実施形態では、開き口２５の下端部２５ｂの位置が、ズボンＰを平らに広げた状態において、開き口２５が設けられていない側、すなわち左側の脇線（第二脇線）１１ｃの上端部１１ｃｕと股部１９とを結ぶ直線ＨＬ（図1の一点鎖線参照）の延長線と交差する位置付近となるように開き口２５の長さが決定されている。この長さは、本体部１１の前壁部１３における開き口２５より左側（すなわち、へそ側）の部位である外カバー部２７を、着替え又はオムツ交換等のために開いた場合に、図２及び図４に示すように、開き口２５を無駄に長くすることなしに着用者の前面を極力大きく開放できる長さである。すなわち、開き口２５の下端部２５ｂをこれより上方に配置すれば、着用者の腰部を開放できる領域が少なくなって作業がし難くなり、一方、開き口２５の下端部２５ｂをこれより下方に配置しても、実施形態における位置以上に着用者の腰部を開放できる領域が大きくなることはなく、却って後述する内カバー部５０を配置しなければならない領域が増えるだけである。また本実施形態では、開き口２５は、右側の第一脇線１１ｂから左右方向の中心側（すなわち、へそ側）に約８ｃｍずれた位置に設けられている。これは、ズボンＰの着用者が、開き口２５が設けられた右側を下にした側臥位になった場合に、開き口２５の上端部２５ａ近傍に配置される後述する係止部７０（ボタン７０Ｍ）が身体の下敷きになって身体を圧迫しない位置である。
【００２１】
図２及び図４に示すように、本体部１１の前壁部１３における、右側の脇線（第一脇線）１１ｂ側の開き口２５の縁部２５ｃからは、左右方向の中央側（すなわち、へそ側）に向かって内カバー部５０が延設されている。内カバー部５０は、着用時に、本体部１１の前壁部１３における開き口２５より左側（すなわち、へそ側）の部位である外カバー部２７の内側において外カバー部２７と重なるように配置される部位である。本実施形態における内カバー部５０は、本体部１１とは別体の任意の布製の部材として用意され、開き口２５の上端部２５ａから下端部２５ｂまでの全長に亘って、開き口２５の脇側縁部２５ｃに縫合されて構成されている。本実施形態の内カバー部５０は、上縁５０ｃが着用時に本体部１１から突出しないように、開き口２５の上端部２５ａから本体部１１の上縁部１１ａに沿って着用者の左半身に進入する位置にまで延びるように形成され、上縁部５０ｃ側では腹部を覆い、下端部５０ｄ側では本体部１１の股部１９と干渉しないような略台形状に形成されている（図１の破線および図４参照）。この内カバー部５０は、後述するように常時略開いた状態の開き口２５からズボンＰの内部が見えないように被介護者の身体を覆って隠すもので、十分に外カバー部２７と重なるような左右方向の幅を有している。実施形態の内カバー部５０では、上縁５０ｃ側の左右方向の幅寸法が、元部側上端部５０ｂからズボンＰの左右の中央線ＣＬ（図１）までの幅寸法と、先端側上端部５０ａから中央線ＣＬまでの幅寸法とが略同じとなる寸法、すなわち、先端５０ａ側に設けられる後述する第二係止部８０のボタン８０Ｍが、開き口２５の上端部２５ａ近傍に設けられる第一係止部７０のボタン７０Ｍと正面から見て略左右対称位置に配置されるような寸法としているが、開き口２５からズボンＰの内部が見えないようにするためには、腹部に位置する部位において少なくともズボンＰの左右の中央線ＣＬ付近までの領域において外カバー部２７と重なる程度の左右方向の幅寸法があることが望ましい。その場合、内カバー部５０の形状は上述した略台形状に限られず、元部側上端部５０ｂ，先端側上端部５０ａ及び元部側下端部５０ｄを結ぶ略台形あるいは略三角形としてもよい。なお、本実施形態における、本体部１１の前壁部１３における外カバー部２７とは、本体部１１の前壁部１３における開き口２５より左側の部位を言い、へそまでの領域に限定されるものではなく、ズボンＰの左右の中央線ＣＬを超えた左側の第二脇線１１ｃ側の領域も含む意である。また、内カバー部５０は、本体部１１と同様に、上縁部５０ｃにゴム通し穴５３が設けられて、中にゴム（図示省略）が通されている。
【００２２】
開き口２５の上端部２５ａ近傍には、開き口２５を開放可能に閉鎖する一対の係止部（第一係止部）７０が設けられている。実施形態の係止部７０は、外カバー部２７の上縁部２７ａにおける着用時に開き口２５の上端部２５ａに隣接する先端部２７ｂにボタン穴７０Ｆを形成し、内カバー部５０における開き口２５の上端部２５ａに隣接する元部側上端部５０ｂにボタン７０Ｍを取り付けて、外カバー部２７の先端部２７ｂを内カバー部５０の元部側上端部５０ｂに係止させて開き口２５を閉鎖させるように構成されている。すなわち、開き口２５は、上端部２５ａ近傍において係止部７０によって閉じられているものの、上端部２５ａから下端部２５ｂに至るまでの略全域に亘って、着用時、ズボン本体部１１における右側脇線（第一脇線）１１ｂ側の縁部２５ｃと、へそ側の縁部２５ｄ（外カバー部２７）とを、相互に係合しない離隔状態（すなわち、開いた状態）としている。なお、実施形態では、ボタン７０Ｍは、介護者が片手ではめ外しできるような直径２．５ｃｍ程度の大きなもので、着用者の身体を圧迫したり食い込んだりすることのないように、裏側に突出部のない、平たいタイプのものが使用されている。
【００２３】
また、本実施形態の被介護者用ズボンＰは、内カバー部５０の先端部５０ａ側を本体部１１側に係止させるための第二係止部８０としてのボタン８０Ｍとボタン穴８０Ｆと、をさらに備える。ボタン８０Ｍが内カバー部５０の先端部５０ａ側に取り付けられ、本体部１１側にボタン穴８０Ｆが設けられる。この第二係止部８０の位置も、ズボンＰの着用者が左の脇線１１ｃ側を下にした側臥位になった場合に、ボタン８０Ｍが身体の下敷きになって身体を圧迫しない位置としている。またボタン８０Ｍも、介護者が片手ではめ外しできるような直径２．５ｃｍ程度の大きなもので、裏側に突出部のない、平たいタイプのものが使用されている。
【００２４】
上述した被介護者用ズボンＰでは、開き口２５はズボンＰの左右の片側である右側部１３Ｒのみに設けられているため、寝具上に仰臥したズボンＰの着用者の介護をする場合に、一箇所の開き口２５の上端部２５ａ近傍において開き口２５を閉鎖している第一係止部７０（ボタン７０Ｍとボタン穴７０Ｆ）と、内カバー部５０の先端部５０ａ側を本体部１１側に係止させている第二係止部８０（ボタン８０Ｍとボタン穴８０Ｆ）とを外すだけで、素早く着用者の腰部を開放する作業を開始することができる。また開き口２５が股部１９を超えた下方まで延設されているため、図２に示すように、外カバー部２７を、開き口２５の下端部２５ｂから股部１９を経由してズボン本体部１１における開き口２５が設けられていない側、すなわち左側の第二脇線１１ｃの上端部１１ｃｕに至る線ＨＬをヒンジ線として大きく開くことができ、また内カバー部５０も開き口２５の下端部２５ｂを起点として大きく外側に開くことができる（図５−１（Ａ）の二点鎖線参照）。その結果、着用者の前面を大きく開放することができるので、着用者が仰向けに寝たままでも、オムツと併用する尿取りパッドの濡れ具合を確認したり、尿取りパッドを交換したりする等の作業が容易に行える。
【００２５】
オムツ交換やズボンの脱ぎ着をさせる場合には、図５−１（Ａ）に示すように、第一係止部７０と第二係止部８０とにおける係合状態を解除して外カバー部２７を上述したように大きく開いた後、開き口２５がない左の第二脇線１１ｃ側を下側とする側臥位になるように着用者を転動させると、内カバー部５０と共に本体部１１の後壁部１５も、股部１９より下方に設けられた開き口２５の下端部２５ｂと、身体の下敷きになっている左側の第二脇線１１ｃの上端部１１ｃｕ付近を結ぶ線をヒンジ線として、着用者の背面側に大きく開くことができる（図５−１（Ｂ）参照）。すると、着用者の腰部の右側を大腿部に至るまで大きく開放することができる。その状態から着用者を仰臥位に戻し（図５−２（Ｃ））、さらに右側の第一脇線１１ｂ側が下となる側臥位になるように転動させれば、図５−２（Ｄ）に示すように、下側になった腰部の右側からはすでにズボンＰは外れているため、本体部１１の左側部１３Ｌと後壁部１５とをめくるだけで着用者の腰部全体からズボンＰを脱がせることができる。その結果、着用者の腰部を持ち上げることなくズボンＰを脱がせて着替えやオムツ交換を容易に行うことができ、介護者の負担が大幅に軽減される。ズボンＰを着せる場合には、これと逆の手順で行えばよい。
【００２６】
また本実施形態の被介護者用ズボンＰでは、開き口２５の脇側縁部２５ｃの上端から下端までの略全域からへそ側に向かって延設される内カバー部５０が、外カバー部２７の内側において、少なくともズボン本体部１１の左右方向の中心付近までの領域において外カバー部２７と重なる構成としている。このため、前壁部１３における開き口２５の右側脇線（第一脇線）１１ｂ側の縁部２５ｃと、へそ側の縁部２５ｄ（外カバー部２７）とが、開き口２５の略全長に亘って離隔状態としていても、外カバー部２７と内カバー部５０とが重なって着物の前側部分と同様の態様となり、着用時にズボンＰの内側の身体が見えてしまうことはなく、被介護者が恥ずかしい思いをすることなく安心して着用できる。また、内カバー部５０によってズボンＰの内部が見えないようになっているので、開き口２５の上端部２５ａ近傍において開き口２５の縁部２５ｃ，２５ｄ相互を係止させる係止部７０の他には、開き口２５の全長に亘って、スライド式ファスナーや、多数のスナップ等を配置して開き口２５の縁部２５ｃと２５ｄ相互を閉鎖する必要がなく、係止部７０の係合状態を解除するだけで素早く外カバー部２７を開くことができ、被介護者の腰部を開放する作業を格段に容易に、素早く行うことができる。また、着用者にとっても、腰から大腿部にかけての長い領域にファスナーやスナップが取り付けられている場合の皮膚に接触する不快感等を感じることなく、自然な着心地を得ることができる。
【００２７】
また内カバー部５０は、着用時には本体部１１の外カバー部２７に隠れる部位であって且つ十分なスペースがあるため、図４に示すように、この部位を着用者の氏名や介護施設における部屋番号等を記入する名札スペースとして利用でき、介護施設等で一括して衣類を洗濯・管理等する場合に、取り違え等の防止に役立つ。さらに内カバー部５０を本体部１１と共布で形成すれば、開き口２５の存在が目立たず、外観的に自然で、「被介護者用の特別な衣服である」との違和感をまったく呈しないから、着用者の尊厳も尊重することができる。
【００２８】
したがって、実施形態の被介護者用ズボンＰは、外観や着心地を損なうことなく、被介護者の着替えやオムツ交換の際の介護者の負担を軽減することができる。
【００２９】
また、実施形態の被介護者用ズボンＰでは、開き口２５の下端部２５ｂの位置が、ズボンＰを平らに広げた状態において、開き口２５が設けられていない側（すなわち左側）の脇線である第二脇線１１ｃの上端部１１ｃｕと股部１９とを結ぶ直線ＨＬ（図１の一点鎖線参照）の延長線と交差する位置付近となるように開き口２５の長さが決定されている。このように決定した下端部２５ｂの位置は、股部１９があるズボンＰにおいて、前壁部１３における左右の片側のみに開き口２５を設けた場合に、開き口２５を無駄に長くすることなしに最大限に外カバー部２７を開くことができる位置である。したがって、外カバー部２７を開く際に、図２に示すように、股部１９を経由して第二脇線１１ｃの上端部１１ｃｕと開き口２５の下端部２５ｂを結ぶ直線ＨＬをヒンジ線として最大限に着用者の前面を開放することができ、さらに、図５−１（Ｂ）に示すような、開き口２５がない左の第二脇線１１ｃ側を下側とする側臥位になるように着用者を転動させた場合にも、内カバー部５０と本体部１１の後壁部１５とを、開き口２５の下端部２５ｂと、身体の下敷きになっている左側の第二脇線１１ｃの上端部１１ｃｕ付近とを結ぶ線をヒンジ線として、着用者の背面側に開いて着用者の腰部の右側を最大限に開放することができるため、着用者の腰部全体からズボンＰを脱がせる作業がより一層容易となって、着替えやオムツ交換を容易に行うことができ、介護者の負担を大幅に軽減することができる。
【００３０】
また本実施形態の被介護者用ズボンＰでは、開き口２５の上端部２５ａ近傍において開き口２５の縁部２５ｃ，２５ｄを相互に係止させる係止部７０が、１個のボタン７０Ｍとボタン穴７０Ｆとからなるため、介護者が片手でも素早くはめ外しの操作ができ、両手を使って開閉操作をしなければならないスナップ等の係止具を使用した場合と比較して、素早く介護作業を行うことができる。なお、このような作用効果を考慮しないならば、第一係止部７０を、スナップ等の別種の係止具から構成してもよい。また、内カバー部５０の先端５０ａと本体部１１とを互いに係止させる第二係止部８０も、本実施形態ではボタン８０Ｍとボタン穴８０Ｆとしたが、これを面ファスナーやスナップ等の別種の係止具から構成してもよい。
【００３１】
また本実施形態の被介護者用ズボンＰでは、開き口２５が、右側の脇線（第一脇線）１１ｂからへそ側、すなわち左右の中心側、に約８ｃｍずれた位置に設けられている。この構成によれば、ズボンＰの着用者が開き口２５が設けられた右側の第一脇線１１ｂ側を下にした側臥位になった場合にも、開き口２５の上端部２５ａ近傍に設けられるボタン７０Ｍ等の係止部７０が身体の下敷きにならないので、係止部７０が身体を圧迫して着用者が痛い思いをすることがない。
【００３２】
本実施形態では、内カバー部５０は、ズボン本体部１１とは別体の布製部材を開き口２５の脇側縁部２５ｃに縫合して成す構成としたが、内カバー部５０の構成はこれに限られるものではない。例えば、通常、右前部材３１，左前部材３３，右後部材３５及び左後部材３７の４枚の部材をはいで（縫合して）製造するズボンの前壁側におけるたとえば右側部１３Ｒに開き口２５を設けたい場合には、図６に示すように、この右前部材３１を、脇側の領域をなす部材であって内カバー部５０となる領域３１Ｓｃを備えた脇側部材３１Ｓと、へそ側の領域をなす部材であるへそ側部材３１Ｎとの分割された２部材から構成することとして、右前部材３１（すなわち脇側部材３１Ｓとへそ側部材３１Ｎ），左前部材３３，右後部材３５及び左後部材３７の５枚の部材を縫合して、開き口２５と内カバー部５０とを備えた被介護者用ズボンＰを製造することとしてもよい。
【００３３】
なお、実施形態における、本体部１１の前壁側右前部１３Ｒのみに開き口２５を設け、その脇側縁部２５ｃに別体の布材を縫合して内カバー部５０とする構成は、既存のパジャマのズボンやスウェットパンツの前壁側における左右のいずれかの部位に履き口から一本だけスリットを入れて、その脇側縁部２５ｃに内カバー部５０を構成する別体の布材を縫合すれば容易に製造することができるので、既存のズボンのリフォームに適している。
【００３４】
実施形態では、開き口２５の上端部２５ａ近傍に設けられる係止部７０のボタン７０Ｍを内カバー部５０の元部側上端部５０ｂに設けて、外カバー部２７の先端部２７ｂを内カバー部５０に係止させるように構成されているが、被介護者が側臥位になったときに身体の下敷きになって身体を圧迫しないのであれば、図４の二点鎖線で示すように、係止部７０におけるボタン７０Ｍ´（または別種の係止部の対応する部分）を本体部１１における開き口２５の第一脇線１１ｂ側の縁部２５ｃに設けてもよい。
【００３５】
また、実施形態では、開き口２５は、ズボン本体部１１の前壁部１３における着用者から見た右側に設けられるものとしたが、開き口２５は、勿論、着用者の左側の位置に設けてもよい。
【００３６】
また、ズボン本体部１１の長さは、実施形態で図示した長さに限られるものではなく、例えば膝下程度までの短尺のズボンに本発明を適用してもよい。
【符号の説明】
【００３７】
１１  ・・・  ズボン本体部
１１ａ  ・・・  上縁部
１１ｂ  ・・・  脇線（第一脇線）
１１ｃ  ・・・  脇線（第二脇線）
１１ｃｕ  ・・・  上端部
１１ｄ  ・・・  下端部（裾）
１３  ・・・  前壁部
１９  ・・・  股部
２５  ・・・  開き口
２５ａ  ・・・  開き口の上端部
２５ｂ  ・・・  開き口の下端部
２５ｃ  ・・・  脇線側縁部
２５ｄ  ・・・  へそ側縁部
２７  ・・・  外カバー部
５０  ・・・  内カバー部
７０  ・・・  係止部
７０Ｍ  ・・・  ボタン
７０Ｆ  ・・・  ボタン穴
ＨＬ  ・・・  直線
Ｐ  ・・・  被介護者用ズボン
【図１】
0006614664.tif 000002
【図２】
0006614664.tif 000003
【図３】
0006614664.tif 000004
【図４】
0006614664.tif 000005
【図５−１】
0006614664.tif 000006
【図５−２】
0006614664.tif 000007
【図６】
0006614664.tif 000008